(57)【要約】【課題】薄膜太陽電池格子を提供する。【解決手段】本発明は、２つの薄膜太陽電池モジュールを備えるか、または透明バックシートと薄膜太陽電池モジュールを備えるように構成される。薄膜太陽電池モジュールは、光電効果により電力を生成し、かつ薄膜太陽電池モジュールの表面は、レーザー切断を介して等幅間隔を有する複数の透明格子が形成される。格子が形成された２つの薄膜太陽電池モジュールは、相互に貼り合わされるか、または１つの薄膜太陽電池モジュールが、透明バックシートの片側或いは２つの透明バックシートの間に設置される。さらに、薄膜太陽電池格子は、薄膜太陽電池モジュールと透明バックシートを固定するための外枠をさらに備える。薄膜太陽電池格子は、発電機能以外に、その透明格子の方向に対して垂直運動し、かつ相対速度が固定値以上の物体に対しては、視覚透視作用を得ることができる。【選択図】図１
2014067997.tif 000002
【特許請求の範囲】
【請求項１】
２つの透明バックシートと、前記２つの透明バックシートの間に設置される薄膜太陽電池モジュールと、を備える薄膜太陽電池格子であって、
前記薄膜太陽電池モジュールは、光電効果により電力を生成し、かつ前記薄膜太陽電池モジュールの表面は、レーザー切断を介して等幅間隔を有する複数の透明格子が形成されることを特徴とする、薄膜太陽電池格子。
【請求項２】
前記透明格子の幅が０．５ｍｍ以上、かつ前記複数の透明格子の総幅と前記薄膜太陽電池モジュールの幅との比率が５％以上であることを特徴とする、請求項１に記載の薄膜太陽電池格子。
【請求項３】
前記薄膜太陽電池モジュールと前記２つの透明バックシートとを結合して界面層を形成した後の外縁に装着される金属外枠をさらに備えることを特徴とする、請求項２に記載の薄膜太陽電池格子。
【請求項４】
前記薄膜太陽電池格子が物体上に装着される場合に、前記複数の透明格子は、前記物体の運動方向、または前記物体に相対して移動する外部物体の運動方向と直交するようにすることを特徴とする、請求項３に記載の薄膜太陽電池格子。
【請求項５】
前記薄膜太陽電池格子が装着される前記物体と外部物体との間の相対速度値が０．５ｋｍ／ｈｒ以上の場合に、前記薄膜太陽電池格子は、視覚的な透視機能を有することを特徴とする、請求項４に記載の薄膜太陽電池格子。
【請求項６】
透明バックシートと、前記透明バックシートと相互に貼り合わされる薄膜太陽電池モジュールと、を備える薄膜太陽電池格子であって、
前記薄膜太陽電池モジュールは、光電効果により電力を生成し、かつ前記薄膜太陽電池モジュールの表面は、レーザー切断を介して等幅間隔を有する複数の透明格子が形成されることを特徴とする、薄膜太陽電池格子。
【請求項７】
前記透明格子の幅が０．５ｍｍ以上、かつ前記複数の透明格子の総幅と前記薄膜太陽電池モジュールの幅との比率が５％以上であることを特徴とする、請求項６に記載の薄膜太陽電池格子。
【請求項８】
前記薄膜太陽電池モジュールと前記透明バックシートと相互に貼り合わされる外縁に装着される金属外枠をさらに備えることを特徴とする、請求項７に記載の薄膜太陽電池格子。
【請求項９】
前記薄膜太陽電池格子が物体上に装着される場合に、前記複数の透明格子は、前記物体の運動方向、または前記物体に相対して移動する外部物体の運動方向と直交するようにすることを特徴とする、請求項８に記載の薄膜太陽電池格子。
【請求項１０】
前記薄膜太陽電池格子が装着される前記物体と外部物体との間の相対速度値が０．５ｋｍ／ｈｒ以上の場合に、前記薄膜太陽電池格子は、視覚的な透視機能を有することを特徴とする、請求項９に記載の薄膜太陽電池格子。
【請求項１１】
２つの薄膜太陽電池モジュールを備える薄膜太陽電池格子であって、
前記２つの薄膜太陽電池モジュールは、光電効果により電力を生成し、かつ各前記薄膜太陽電池モジュールの表面は、レーザー切断を介して等幅間隔を有する複数の透明格子が形成され、かつ前記２つの薄膜太陽電池モジュールは、相互に貼り合わされて、その両者の間の当該複数の透明格子は、相互に位置合わせしていることを特徴とする、薄膜太陽電池格子。
【請求項１２】
前記透明格子の幅が０．５ｍｍ以上、かつ前記複数の透明格子の総幅と前記薄膜太陽電池モジュールの幅との比率が５％以上であることを特徴とする、請求項１１に記載の薄膜太陽電池格子。
【請求項１３】
貼り合わされた前記薄膜太陽電池モジュールの外縁に装着される金属外枠を備えることを特徴とする、請求項１２に記載の薄膜太陽電池格子。
【請求項１４】
前記薄膜太陽電池格子が物体上に装着される場合に、前記複数の透明格子は、前記物体の運動方向、または前記物体に相対して移動する外部物体の運動方向と直交するようにすることを特徴とする、請求項１３に記載の薄膜太陽電池格子。
【請求項１５】
前記薄膜太陽電池格子が装着される前記物体と外部物体との間の相対速度値が０．５ｋｍ／ｈｒ以上の場合に、前記薄膜太陽電池格子は、視覚的な透視機能を有することを特徴とする、請求項１４に記載の薄膜太陽電池格子。
【発明の詳細な説明】
【技術分野】
【０００１】
本発明は、薄膜太陽電池格子に係り、特にレーザー光を使用して固定格子パターンを生成する薄膜太陽電池格子に関するものであり、運動方向が格子と直交し、かつ速度値が固定値以上の物体に対して、使用者は、前記薄膜太陽電池格子を透過して前記移動する物体を見ることができる。
【背景技術】
【０００２】
現在、エネルギーの国際価格が年々高騰する中、各国では廉価かつ環境汚染のないエネルギーを得るために、太陽電池の研究と応用に尽力してきた。薄膜太陽電池は、低廉な価格の各種のガラス、プラスチック、セラミックスや石墨などの異なる材料を使用して製造することが可能であり、形成された電圧を生成可能な薄膜厚さは、僅か数ミリメートルである。このため、薄膜太陽電池は、シリコン太陽電池と比較すると、同じ受光面積において薄膜太陽電池の方は原料の使用量を大幅に節約でき、かつ優れたエネルギー変換効率を有し、平面構造である以外に、可撓性を活かして非平面構造に製作することができ、建築物と結合したり、建築物の一部になったりすることができる。
【０００３】
しかしながら、一般の薄膜太陽電池自身が不透明な平面であり、建築物の窓に装着される場合に、使用者の視線が完全に阻まれるので、使用者が薄膜太陽電池の他側に位置する物体を完全に観察することができなくなるため、薄膜太陽電池の建築物上の使用範囲が制限されてしまう。移動中の車両の車窓に対しては、視野喪失は最も受け入れないことであるため、従来の太陽電池又は薄膜太陽電池が移動可能な車両の車窓に装着されるのは、いずれも不適合であった。
【発明の概要】
【発明が解決しようとする課題】
【０００４】
本発明は、上記のような従来技術の問題点に鑑みてなされたもので、その目的は、使用者がこの薄膜太陽電池格子を透視することによって、薄膜太陽電池格子の他側にあり、格子パターンと直交する方向で運動する物体を観測することができる、薄膜太陽電池格子を提供することにある。
【課題を解決するための手段】
【０００５】
本発明の目的に従って、本発明は、２つの透明バックシートと、薄膜太陽電池モジュールと、を備える薄膜太陽電池格子を提供するものである。薄膜太陽電池モジュールは、光電効果により電力を生成し、かつ薄膜太陽電池モジュールの表面は、レーザー切断を介して等幅間隔を有する複数の透明格子が形成され、さらに薄膜太陽電池モジュールは、２つの透明バックシートの間に設置されている。
【０００６】
より好ましくは、透明格子の幅が０．５ｍｍ以上の値であり、かつ複数の透明格子の総幅と前記薄膜太陽電池モジュールの幅との比率が５％以上の値である。
【０００７】
より好ましくは、本発明の薄膜太陽電池格子は、薄膜太陽電池モジュールと２つの透明バックシートとを結合して界面層を形成した後の外縁に装着される金属外枠をさらに備える。
【０００８】
より好ましくは、薄膜太陽電池格子が物体上に装着される場合において、複数の透明格子は、物体の運動方向、またはその物体に相対して移動する外部物体の運動方向と直交する。
【０００９】
より好ましくは、薄膜太陽電池格子が装着される物体と外部物体との間の相対速度値が０．５ｋｍ／ｈｒ以上の場合において、薄膜太陽電池格子は、視覚的な透視機能を有する。
【００１０】
本発明の目的に従って、さらに透明バックシートと薄膜太陽電池モジュールとを備える薄膜太陽電池格子を提供する。その薄膜太陽電池モジュールは、光電効果により電力を生成し、かつ前記薄膜太陽電池モジュールの表面は、レーザー切断を介して等幅間隔を有する複数の透明格子が形成され、さらに前記薄膜太陽電池モジュールは、前記透明バックシートと相互に貼り合わされる。
【００１１】
より好ましくは、本発明の薄膜太陽電池格子は、薄膜太陽電池モジュールと透明バックシートと相互に貼り合わされる外縁に装着される金属外枠をさらに備える。
【００１２】
本発明の目的に従って、さらにまた２つの薄膜太陽電池モジュールを備える薄膜太陽電池格子を提供する。それらの薄膜太陽電池モジュールは、光電効果により電力を生成し、かつ各薄膜太陽電池モジュールの表面は、レーザー切断を介して等幅間隔を有する複数の透明格子が形成され、かつ２つの薄膜太陽電池モジュールは、相互に貼り合わされてその両者の間の透明格子は、相互に位置合わせしている。
【００１３】
より好ましくは、本発明の薄膜太陽電池格子は、貼り合わされた薄膜太陽電池モジュールの外縁に装着される金属外枠をさらに備える。
【発明の効果】
【００１４】
上記で説明したとおり、本発明に係る薄膜太陽電池格子は、以下に示す１つまたは複数の長所を有する。
【００１５】
（１）レーザー切断を用いて得られた複数の透明格子により形成された格子パターンが、水平面に対して直交する方式で、この薄膜太陽電池格子を静態建築物に装着される場合には、静態建築物に対して０．５ｋｍ／ｈｒ以上の時速で水平移動する外部の物体を観測する能力を建築物内の使用者に提供できる。
【００１６】
（２）この薄膜太陽電池格子が、当該複数の透明格子が水平面に対して直交する方式で移動可能な車両に装着され、車両の移動速度が０．５ｋｍ／ｈｒを超える場合には、使用者に全ての外部静態環境と相対速度が０．５ｋｍ／ｈｒ以上の任意の水平移動物体を観測する能力を提供できる。
【図面の簡単な説明】
【００１７】
【図１】本発明の薄膜太陽電池格子の第１実施例を示す第１模式図である。
【図２】本発明の薄膜太陽電池格子の第１実施例を示す第２模式図である。
【図３】本発明の薄膜太陽電池格子の第１実施例を示す第３模式図である。
【図４】本発明の薄膜太陽電池格子の第２実施例を示す模式図である。
【図５】本発明の薄膜太陽電池格子の第３実施例を示す模式図である。
【図６】本発明の薄膜太陽電池格子の実施例の応用概念図である。
【発明を実施するための形態】
【００１８】
本発明をより完全に理解するために、本発明の技術特徴、内容と長所及びそれが達成できる作用効果については、添付図面を参照して、実施例の表現形式で以下のように詳細に説明される。なお、使用された図面は、単に例示または明細書内容を補助する目的としたものであって、本発明の実施後の原寸に比例したものや精確に配置したものには何ら拘束されない。よって、図示された図面は、添付図面の比率と配置関係で解釈されてはならず、本発明を実際に実施する権利範囲に制限することを意図したものではないことについて先に説明しておきたい。
＜第１実施例＞
【００１９】
図１を参照し、その図は本発明の透視動態画像の薄膜太陽電池格子の第１実施例を示す第１模式図である。図１において、薄膜太陽電池格子１は、薄膜太陽電池モジュール１１と、２つの透明バックシート１２，１３と、金属外枠１４とを備えるように構成される。この薄膜太陽電池格子１は、任意の形式や種類の設計であってもよく、その外形を、二次元平面構造に形成してもよい。より好ましくは、この薄膜太陽電池モジュール１１は、レーザー光を利用して等幅平行長条を除去することによって、等幅間隔の複数の透明格子１１１（図２参照）が格子パターンを形成するように形成される。
【００２０】
上記において、薄膜太陽電池モジュール１１は、一般的に発電用の薄膜太陽電池として広く用いられている。本発明では、主にレーザー光を利用して薄膜太陽電池モジュール１１の部分面積を除去することによって、透光可能な固定格子パターンが形成される。この格子パターンは、上記のように、複数の切断された透明格子１１１で形成される。さらに、図１に示すように、レーザー処理された薄膜太陽電池モジュール１１を透明バックシート１２と１３との間に挟み込むことで、サンドイッチ構造が形成される。さらに、金属外枠は、透明バックシートの界面層の外縁に装着されることにより、モジュール固定及び構造補強の目的が達成される。
【００２１】
図２を参照し、その図は本発明の薄膜太陽電池格子の第１実施例を示す第２模式図である。図２において、薄膜太陽電池モジュール１１の各透明格子１１１の幅が０．５ｍｍ以上の値であり、かつ複数の透明格子１１１の総幅と薄膜太陽電池モジュール１１の幅との比率が約５％以上の値である。これにより、十分な入射光線を収容する目的が達成される。
【００２２】
図３を参照し、その図は本発明の薄膜太陽電池格子の第１実施例を示す第３模式図であり、透明バックシート１２、薄膜太陽電池モジュール１１、透明バックシート１３及び金属外枠１４の相対的な装着位置の側面を表示するために用いる。
＜第２実施例＞
【００２３】
図４を参照し、その図は本発明の薄膜太陽電池格子の第２実施例を示す模式図であり、薄膜太陽電池モジュール１１、透明バックシート１３及び金属外枠１４の相対的な装着位置を表示するために用いる。そのうち、薄膜太陽電池モジュール１１は、単一の透明バックシート１３の上に貼り合わされる。この薄膜太陽電池格子は、前記金属外枠１４が装着されなくてもよい。
＜第３実施例＞
【００２４】
図５を参照し、その図は本発明の薄膜太陽電池格子の第３実施例を示す模式図である。この実施例は、第１と第２実施例に対して２つの薄膜太陽電池モジュール１１と金属外枠１４しか使用されていない。また、透明バックシートは使用されていない。そのうち、２つの薄膜太陽電池モジュール１１同士は、相互に貼り合わされてその両者の透明格子は、相互に位置合わせしていたため、光線を滑らかに通過させ、または双面採光することを可能とする。この実施例も前記金属外枠１４を使用する必要はない。以上は、単なる例示列挙であり、これに限定されない。
【００２５】
一般的に言えば、人間の目に映された画像は、ごく短い間（１／２４秒）に残像として視網膜上に残るため、ちょうど消えた画像に対しても「依然として存在している」という錯覚を生じる。この原理を運用することによって、映画では、時々刻々移り変わる光影を捕らえて、これらの画像がフィルム上に撮影されてから、スクリーン上に１秒ごとに２４コマの静止画像を再生するように迅速に投射し、観客の視覚効果は、前者の画像がまだ消えていないうちに、直ちに後者の画像が繋がることによって、連続動作のように知覚される効果を生じる。いわゆる「網膜残像」という原理である。
【００２６】
前記網膜残像の原理に鑑み、本発明は、レーザー切断を用いて形成された複数の透明格子１１１を有する薄膜太陽電池格子１が物体上に装着される場合に、前記複数の透明格子１１１は、前記物体の運動方向、または観察しようとする物体の運動方向と直交するようにする。また、この場合、図６に示すように、薄膜太陽電池格子１が装着される前記物体と外部物体または環境との間の相対速度値が０．５ｋｍ／ｈｒ以上の場合に、前記薄膜太陽電池格子１は、透明に近似する効果を得ることが可能である。これにより、使用者は、前記透明格子１１１を透過して外部物体または環境を観測することが可能となる。
【００２７】
上記を総合すると、本発明の透視動態画像の薄膜太陽電池格子は、主に本来の全体面積の薄膜太陽電池モジュールをレーザー光で部分面積を剥離することによって、特定のパターンを有する透明格子が形成される。続いて、それを前後バックシートと金属外枠と組み合わせることによって、薄膜太陽電池格子を形成するようにする。それを物体上に装着する場合に、発電機能以外に、使用者は、格子の背面に位置する相対時速が０．５ｋｍ／ｈｒ以上で、かつその方向が、格子パターンと直交するように移動する物体を透視することができる。このようにして、薄膜太陽電池の応用範囲を増加させることができる。
【産業上の利用可能性】
【００２８】
以上の説明をまとめると、本発明は、従来の技術を突破した上、確実に促進しようとする作用効果を達成し、かつその技術分野を熟知する当業者が容易に想到できたものではない。さらに本発明は、出願前に公開されたことがなく、かつその具備する進歩性、実用性は明らかに特許の出願要件を満たすものなので、特許法の規定に従って、特許出願を提出する。貴庁が、発明を奨励するために、本願発明につき、何卒ご審査の上、特許すべき旨のご決定を賜りますよう、お願い申し上げます。
【符号の説明】
【００２９】
１：薄膜太陽電池格子
１１：薄膜太陽電池モジュール
１１１：透明格子
１２：前透明バックシート
１３：後透明バックシート
１４：金属外枠
【図１】
2014067997.tif 000003
【図２】
2014067997.tif 000004
【図３】
2014067997.tif 000005
【図４】
2014067997.tif 000006
【図５】
2014067997.tif 000007
【図６】
2014067997.tif 000008